(57)【要約】  【課題】夾雑物を土中に適切に埋め込むことができる農作業機を提供する。  【解決手段】農作業機１は、機体２と、この機体２に回転可能に設けた回転軸体11とを備える。回転軸体11には、耕耘作業をする耕耘爪21と、夾雑物の埋め込み作業をする埋込体22とを設ける。埋込体22の先端が描く円軌跡の半径Ａが、耕耘爪21の先端が描く円軌跡の半径Ｂより大きい。埋込体22は、弾性変形可能な湾曲状の弾性棒部材33にて構成する。  【選択図】図１
2006320210.tif 000002
【特許請求の範囲】
【請求項１】
回転軸体と、
この回転軸体に設けられ、耕耘作業をする耕耘爪と、
前記回転軸体に設けられ、夾雑物の埋め込み作業をする埋込体とを備え、
前記埋込体の先端が描く円軌跡の半径が、前記耕耘爪の先端が描く円軌跡の半径より大きい
ことを特徴とする農作業機。
【請求項２】
埋込体は、弾性変形可能な湾曲状の弾性棒部材にて構成されている
ことを特徴とする請求項１記載の農作業機。
【請求項３】
耕耘爪は、基端側の平面状部と、先端側の曲面状部とにて構成され、
埋込体の基端側部分が前記平面状部の回転方向前方に位置する
ことを特徴とする請求項１または２記載の農作業機。
【発明の詳細な説明】
【技術分野】
【０００１】
本発明は、夾雑物を土中に適切に埋め込むことができる農作業機に関するものである。
【背景技術】
【０００２】
従来、例えば軸方向が水平方向に一致した回転軸体と、回転軸体にこの回転軸体の軸方向に間隔をおいて位置するように設けられ回転軸体とともに回転しながら耕耘作業をする複数の耕耘爪とを備えた代掻装置等の農作業機が知られている（例えば、特許文献１参照）。
【特許文献１】特開昭５４−１５８０７号公報
【発明の開示】
【発明が解決しようとする課題】
【０００３】
しかしながら、上記従来の農作業機では、複数の耕耘爪によって圃場の土を細かく砕きながら混ぜることができるものの、稲わら等の夾雑物の埋め込み性能が不十分となるおそれがある。
【０００４】
本発明は、このような点に鑑みなされたもので、夾雑物を土中に適切に埋め込むことができる農作業機を提供することを目的とする。
【課題を解決するための手段】
【０００５】
請求項１記載の農作業機は、回転軸体と、この回転軸体に設けられ、耕耘作業をする耕耘爪と、前記回転軸体に設けられ、夾雑物の埋め込み作業をする埋込体とを備え、前記埋込体の先端が描く円軌跡の半径が、前記耕耘爪の先端が描く円軌跡の半径より大きいものである。
【０００６】
請求項２記載の農作業機は、請求項１記載の農作業機において、埋込体は、弾性変形可能な湾曲状の弾性棒部材にて構成されているものである。
【０００７】
請求項３記載の農作業機は、請求項１または２記載の農作業機において、耕耘爪は、基端側の平面状部と、先端側の曲面状部とにて構成され、埋込体の基端側部分が前記平面状部の回転方向前方に位置するものである。
【発明の効果】
【０００８】
請求項１に係る発明によれば、先端が描く円軌跡の半径が耕耘爪の先端が描く円軌跡の半径より大きい埋込体を備えるため、稲わら等の夾雑物を土中に適切に埋め込むことができる。
【０００９】
請求項２に係る発明によれば、弾性変形可能な湾曲状の弾性棒部材にて構成された埋込体によって、稲わら等の夾雑物を土中により一層適切に埋め込むことができる。
【００１０】
請求項３に係る発明によれば、埋込体の基端側部分が耕耘爪の平面状部の回転方向前方に位置するため、耕耘爪の平面状部が埋込体にて保護されることとなり、耕耘爪の耐久性の向上を図ることができる。
【発明を実施するための最良の形態】
【００１１】
本発明の農作業機の一実施の形態を図面を参照して説明する。
【００１２】
図１において、１は農作業機で、この農作業機１は、走行車であるトラクタ（図示せず）の後部に連結された状態で、トラクタの走行により圃場上を前方に移動しながら代掻き作業をする代掻装置等である。
【００１３】
農作業機１は、トラクタの後部の３点リンクに連結される機体２を備えている。機体２には、トラクタ側からの動力を入力する入力軸３が回転可能に設けられている。入力軸３には、トラクタのＰＴＯ軸がユニバーサルジョイントおよび伝動シャフト等を介して連結される。
【００１４】
また、機体２は、左右両側にチェーンケース部５およびブラケット部（図示せず）を有している。チェーンケース部５の下部とブラケット部の下部との間には、軸方向が左右水平方向に一致した耕耘軸等の回転軸体11が回転可能に設けられている。この機体２に回転可能に支持された回転軸体11は、入力軸３側からの動力を受けて左右水平方向の回転中心軸線Ｘを中心として所定方向（図示矢印方向）に回転する。
【００１５】
回転軸体11は、図２ないし図５に示すように、断面円形の軸本体部12を有し、この軸本体部12における軸方向に等間隔をおいた位置には、複数のホルダ部13が周方向に等間隔をもって設けられている。
【００１６】
そして、回転軸体11の複数のホルダ部13の各々には、回転軸体11とともに所定方向に回転しながら耕耘作業をする耕耘爪（代掻爪）21が着脱可能に取り付けられているとともに、回転軸体11とともに所定方向に回転しながら圃場の土中への稲わら等の夾雑物の埋め込み作業をする湾曲状で略棒状の埋込体（埋込爪）22がＬ字状の板部材23を介して着脱可能に取り付けられている。
【００１７】
すなわち例えば、回転軸体11の各ホルダ部13には、耕耘爪21の基端部と、埋込体22の基端部が固定された板部材23の取付板部24とが、ボルト25とナット26とにて共締めされて取り付けられている。
【００１８】
耕耘爪21は、例えば所望形状の金属板からなり、板厚方向が左右水平方向に一致した基端側の平面状部31と、この平面状部31に連続して側方に突出するように設けられた先端側の曲面状部32とにて構成されている。埋込体22は、例えばバネ鋼等からなる弾性変形可能な湾曲状で断面円形の弾性棒部材33にて構成されており、この弾性棒部材33は、回転方向後方に向うように湾曲した状態で耕耘爪21の平面状部31の前縁に略沿って配設されている。
【００１９】
そして、埋込体22の先端が描く円軌跡の半径Ａが、耕耘爪21の先端が描く円軌跡の半径Ｂより大きくなっている（図１参照）。また、埋込体22の基端側部分（例えば基端側の略半分の部分）が、耕耘爪21の平面状部31の回転方向前方に位置する。さらに、埋込体22の先端が、側面視で耕耘爪21の先端より回転方向後方側に位置する（図３参照）。なお、回転軸体11、耕耘爪21および埋込体22等にて、耕耘手段40が構成されている。
【００２０】
また一方、図１に示されるように、機体２は、耕耘手段40の上方部を覆う湾曲板状のカバー部41を有している。カバー部41の後端部には、耕耘手段40の後方で整地作業をする整地手段42が設けられている。整地手段42は、カバー部41の後端部にゴム板43を介して取り付けられた第１整地体（均平板）44を有している。第１整地体44の下端部には第２整地体（レーキ）45の前端部が回転可能に取り付けられている。そして、機体２と第１整地体44とが第１連結手段46にて連結され、機体２と第２整地体45とが第２連結手段47にて連結されている。
【００２１】
次に、上記農作業機１の作用等を説明する。
【００２２】
農作業機１をトラクタの後部に連結し、農作業機１をトラクタの走行により圃場上を移動させると、回転軸体11とともに駆動回転する複数本の耕耘爪21にて耕耘作業が行われるとともに、第１整地体44および第２整地体45にて整地作業が行なわれる。また同時に、回転軸体11とともに駆動回転する複数本の埋込体（埋込爪）22にて圃場の土中への稲わら等の夾雑物の埋め込み作業が行われる。
【００２３】
したがって、農作業機１は先端の描く円軌跡の半径Ａが耕耘爪21の先端が描く円軌跡の半径Ｂより大きい埋込体22を備えるため、この埋込体22によって稲わら等の夾雑物を土中に適切に埋め込むことができる。
【００２４】
また、埋込体22を弾性変形可能な湾曲状の弾性棒部材33にて構成したため、埋込体22の弾性復元力を利用して稲わら等の夾雑物を土中により一層適切に埋め込むことができる。
【００２５】
さらに、埋込体22の基端側部分が耕耘爪21の平面状部31の回転方向前方に位置するため、耕耘爪21の平面状部31が埋込体22にて保護されることとなり、耕耘爪21の耐久性の向上を図ることができ、耕耘爪21の交換頻度を低減できる。
【００２６】
また、回転軸体11の各ホルダ部13に耕耘爪21と埋込体22とをボルト25とナット26とで共締めして取り付けた構成であるから、耕耘爪用ホルダと埋込体用ホルダとを別々にした構成に比べて部品点数が少なく、構造の簡素化を図ることができる。なお、埋込体22をホルダ部13から取り外した状態で作業することは可能である。
【００２７】
なお、埋込体22は、弾性棒部材33にて構成されたものには限定されず、例えば湾曲した細長い弾性板にて構成されたものや、剛性棒部材或いは剛性板部材等にて構成されたもの等でもよい。
【００２８】
また、耕耘爪21の数や埋込体22の数は任意であり、また耕耘爪21および埋込体22に共用のホルダ部13の代わりに耕耘爪用ホルダと埋込体用ホルダとを別々にした構成でもよい。
【図面の簡単な説明】
【００２９】
【図１】本発明の農作業機の一実施の形態の側面図である。
【図２】同上農作業機の耕耘手段の平面図である。
【図３】同上耕耘手段の側面図である。
【図４】同上耕耘手段の正面図である。
【図５】同上耕耘手段の動作説明図である。
【符号の説明】
【００３０】
１    農作業機
11    回転軸体
21    耕耘爪
22    埋込体
31    平面状部
32    曲面状部
33    弾性棒部材
【図１】
2006320210.tif 000003
【図２】
2006320210.tif 000004
【図３】
2006320210.tif 000005
【図４】
2006320210.tif 000006
【図５】
2006320210.tif 000007